(57)【要約】【課題】通話とファクシミリ通信を１回線で共有する宅内ＩＰ電話網に設置される、みなし音声通信方式のファクシミリ装置において、最小限の機能追加で宅内ＩＰ電話機と円滑に連携する仕組みを提供する。【解決手段】ファクシミリ装置は、受信したＩＮＶＩＴＥリクエストが外線からの着信であると判定されると、所定時間が経過するまで遅延させて、ＩＮＶＩＴＥリクエストの発信元とセッションを確立し、ＩＮＶＩＴＥリクエストが内線からの着信であると判定されると、即時にＩＮＶＩＴＥリクエストの発信元とセッションを確立する。【選択図】  図３
2015211349.tif 000002
【特許請求の範囲】
【請求項１】
宅内ＩＰ電話網に設置されるファクシミリ装置であって、
ＩＮＶＩＴＥリクエストを受信する受信手段と、
前記受信手段によって受信された前記ＩＮＶＩＴＥリクエストが内線からの着信であるか否かを判定する判定手段と、
前記判定手段によって前記ＩＮＶＩＴＥリクエストが外線からの着信であると判定されると、所定時間が経過するまで遅延させて、該ＩＮＶＩＴＥリクエストの発信元とセッションを確立し、前記判定手段によって前記ＩＮＶＩＴＥリクエストが内線からの着信であると判定されると、即時に該ＩＮＶＩＴＥリクエストの発信元とセッションを確立する確立手段と
を備えることを特徴とするファクシミリ装置。
【請求項２】
前記確立手段は、
前記所定時間が経過するまでにＣＡＮＣＥＬリクエストを受信すると、前記ＩＮＶＩＴＥリクエストの発信元とセッションを確立することなく処理を終了することを特徴とする請求項１に記載のファクシミリ装置。
【請求項３】
前記確立手段によって前記セッションが確立されると、みなし音声によるファクシミリ通信を開始する制御手段をさらに備えることを特徴とする請求項１又は２に記載のファクシミリ装置。
【請求項４】
前記確立手段によって前記セッションが確立した後に、ＣＮＧ信号を検知した場合は、みなし音声によるファクシミリ通信を開始し、オフフックを検知した場合は、音声通信を開始する制御手段をさらに備えることを特徴とする請求項１又は２に記載のファクシミリ装置。
【請求項５】
前記制御手段は、
前記確立手段によって前記セッションが確立した後に、前記発信元に対してファクシミリ通信の開始を促すための音声応答を行うことを特徴とする請求項４に記載のファクシミリ装置。
【請求項６】
前記制御手段は、
前記確立手段によって前記セッションが確立してから所定時間が経過するまでに、前記ＣＮＧ信号及び前記オフフックを検知できない場合は、前記セッションを終了することを特徴とする請求項４又は５に記載のファクシミリ装置。
【請求項７】
宅内ＩＰ電話網に設置される、ホームゲートウェイに接続されたＩＰ電話機及びファクシミリ装置を含むファクシミリシステムであって、
前記ホームゲートウェイは、
ＩＮＶＩＴＥリクエストを外部から受信すると、前記ＩＰ電話機及び前記ファクシミリ装置へ転送する転送手段を備え、
前記ファクシミリ装置は、
ＩＮＶＩＴＥリクエストを受信する受信手段と、
前記受信手段によって受信された前記ＩＮＶＩＴＥリクエストが内線からの着信であるか否かを判定する判定手段と、
前記判定手段によって前記ＩＮＶＩＴＥリクエストが外線からの着信であると判定されると、所定時間が経過するまで遅延させて、該ＩＮＶＩＴＥリクエストの発信元とセッションを確立し、前記判定手段によって前記ＩＮＶＩＴＥリクエストが内線からの着信であると判定されると、即時に該ＩＮＶＩＴＥリクエストの発信元とセッションを確立する確立手段と
を備えることを特徴とするファクシミリシステム。
【請求項８】
前記ホームゲートウェイは、
前記ＩＰ電話機から前記ＩＮＶＩＴＥリクエストに対する応答が成功したことの通知を受けると、ＣＡＮＣＥＬリクエストを前記ファクシミリ装置へ通知する通知手段をさらに備え、
前記確立手段は、
前記所定時間が経過するまでにＣＡＮＣＥＬリクエストを受信すると、前記ＩＮＶＩＴＥリクエストの発信元とセッションを確立することなく処理を終了することを特徴とする請求項７に記載のファクシミリシステム。
【請求項９】
宅内ＩＰ電話網に設置されるファクシミリ装置の制御方法であって、
受信手段が、ＩＮＶＩＴＥリクエストを受信する受信工程と、
判定手段が、前記受信工程において受信された前記ＩＮＶＩＴＥリクエストが内線からの着信であるか否かを判定する判定工程と、
確立手段が、前記判定工程において前記ＩＮＶＩＴＥリクエストが外線からの着信であると判定されると、所定時間が経過するまで遅延させて、該ＩＮＶＩＴＥリクエストの発信元とセッションを確立し、前記判定工程において前記ＩＮＶＩＴＥリクエストが内線からの着信であると判定されると、即時に該ＩＮＶＩＴＥリクエストの発信元とセッションを確立する確立工程と
を実行することを特徴とするファクシミリ装置の制御方法。
【請求項１０】
宅内ＩＰ電話網に設置される、ホームゲートウェイに接続されたＩＰ電話機及びファクシミリ装置を含むファクシミリシステムの制御方法あって、
前記ホームゲートウェイは、
転送手段が、ＩＮＶＩＴＥリクエストを外部から受信すると、前記ＩＰ電話機及び前記ファクシミリ装置へ転送する転送工程を実行し、
前記ファクシミリ装置は、
受信手段が、ＩＮＶＩＴＥリクエストを受信する受信工程と、
判定手段が、前記受信工程において受信された前記ＩＮＶＩＴＥリクエストが内線からの着信であるか否かを判定する判定工程と、
確立手段が、前記判定工程において前記ＩＮＶＩＴＥリクエストが外線からの着信であると判定されると、所定時間が経過するまで遅延させて、該ＩＮＶＩＴＥリクエストの発信元とセッションを確立し、前記判定工程において前記ＩＮＶＩＴＥリクエストが内線からの着信であると判定されると、即時に該ＩＮＶＩＴＥリクエストの発信元とセッションを確立する確立工程と
を実行することを特徴とするファクシミリシステムの制御方法。
【請求項１１】
請求項１乃至６の何れか１項に記載のファクシミリ装置としてコンピュータを機能させるための該コンピュータで読み取り可能なプログラム。
【請求項１２】
請求項７又は８に記載のファクシミリシステムとしてコンピュータを機能させるための該コンピュータで読み取り可能なプログラム。
【発明の詳細な説明】
【技術分野】
【０００１】
本発明は、ファクシミリ装置、ファクシミリシステム、それらの制御方法、及びプログラムに関する。
【背景技術】
【０００２】
ファクシミリ装置は、電話回線を電話機と共用し、通話とファクシミリ通信を切り替えて行うものがある。この場合、操作者又はファクシミリ装置が通話であるかファクシミリ通信であるかを判断し、電話機−ファクシミリ装置間で動作モード等の装置設定と状況に応じた切替動作を行って運用するのが一般的である。各種動作モードには、着信すれば直ちにファクシミリ受信動作を開始する「自動受信モード」や、先にファクシミリ装置で着信し、ファクシミリ通信であるか否かを判定する「ＦＡＸ／ＴＥＬ切替モード」がある。また、留守番電話を接続し留守番電話応答中にファクシミリ装置がファクシミリ通信を判定する「留守番電話接続モード」がある。さらに、操作者がファクシミリ装置に接続された電話機で応答してファクシミリ信号を確認してから手動操作によりファクシミリ受信を行う「手動受信モード」がある。これらの電話機とファクシミリの切替動作は、いずれもファクシミリ装置に直接接続された電話機との間の切替動作であり、同じ構内交換機に内線接続される電話機との間の切替動作ではない。
【０００３】
また、インターネットやイントラネット等の普及からＩＰ電話が普及してきている。ＩＰ電話は、ＳＩＰ（Ｓｅｓｓｉｏｎ  Ｉｎｉｔｉａｔｉｏｎ  Ｐｒｏｔｏｃｏｌ）等の呼制御プロトコルを利用し、リアルタイム通信のためのセッションの生成・変更・切断を制御する。また、ＶｏＩＰ（Ｖｏｉｃｅ  ｏｖｅｒ  Ｉｎｔｅｒｎｅｔ  Ｐｒｏｔｏｃｏｌ）技術を利用して音声を各種符号化・圧縮し、ＩＰパケットに変換してＩＰ網上をリアルタイムで伝送することにより通話処理を行っている。これらの状況の中でイントラネットや宅内ＬＡＮのＩＰ電話環境にみなし音声通信方式のファクシミリ装置を併設した場合の、ＩＰ電話機とファクシミリ装置の使い勝手の向上が課題となってきている。
【０００４】
特許文献１では、宅内ＩＰ網内のファクシミリ装置に外線着信があった場合、通話又はファクシミリ通信かの判断を行い設定された受信モードに基づいて、携帯ＩＰ電話機又はファクシミリ装置を必要に応じて鳴動させることが開示されている。具体的には、ファクシミリ装置が無鳴動着信を行うＦＡＸ／ＴＥＬ切替モードなら、携帯ＩＰ電話機情報を代理でＳＩＰサーバから削除（代理アンレジスト）して着信が携帯ＩＰ電話機へ通知されないよう処理する。携帯ＩＰ電話鳴動後に操作者が応答／判断して受信動作を行う手動受信モードなら、携帯ＩＰ電話機情報を代理でＳＩＰサーバへ登録（代理レジスト）して着信が携帯ＩＰ電話機へ通知されるように処理する。ＳＩＰサーバへの携帯ＩＰ電話機の登録状態を利用して鳴動・無鳴動を制御することで、着信時に最初に応答可能な端末を選択している。また、着信応答後の処理として、ファクシミリ装置で応答したが通話と判断されると携帯ＩＰ電話機をＳＩＰサーバに代理レジストして呼出し可能な状態にしてから保留転送を行う。逆に、携帯ＩＰ電話機で操作者が応答したがファクシミリ通信と判断されるとＳＩＰサーバにファクシミリ装置を代理レジストして呼出し可能な状態にしてから保留転送を行い、携帯ＩＰ電話機とＳＩＰサーバの切替動作・連携を図るものである。
【先行技術文献】
【特許文献】
【０００５】
【特許文献１】特開２０１０−１７８０４４号公報
【発明の概要】
【発明が解決しようとする課題】
【０００６】
しかしながら、上記従来技術には以下に記載する問題がある。例えば、上記従来技術では、手動受信モード時に通話端末の存在を確認し、代理レジストして応答可能にするものの、着信がファクシミリ通信と判断されて保留転送された後のファクシミリ装置の効果的な受信方法については提案されていない。また、受信モードがファクシミリ受信優先モードの場合には、携帯ＩＰ電話機を代理アンレジストして携帯ＩＰ電話機を無鳴動にするため、代理アンレジストされた場合に携帯ＩＰ電話機がレジスト更新をしないようにする処理が必要である。即ち、携帯ＩＰ電話機とファクシミリ装置の両方での対応が必要となり、代理レジストに対応したＩＰ電話環境でなければ上記従来技術のファクシミリ装置の運用は難しい。
【０００７】
本発明は、上述の問題に鑑みて成されたものであり、通話とファクシミリ通信を１回線で共有する宅内ＩＰ電話網に設置される、みなし音声通信方式のファクシミリ装置において、最小限の機能追加で宅内ＩＰ電話機と円滑に連携する仕組みを提供することを目的とする。
【課題を解決するための手段】
【０００８】
本発明は、宅内ＩＰ電話網に設置されるファクシミリ装置であって、ＩＮＶＩＴＥリクエストを受信する受信手段と、前記受信手段によって受信された前記ＩＮＶＩＴＥリクエストが内線からの着信であるか否かを判定する判定手段と、前記判定手段によって前記ＩＮＶＩＴＥリクエストが外線からの着信であると判定されると、所定時間が経過するまで遅延させて、該ＩＮＶＩＴＥリクエストの発信元とセッションを確立し、前記判定手段によって前記ＩＮＶＩＴＥリクエストが内線からの着信であると判定されると、即時に該ＩＮＶＩＴＥリクエストの発信元とセッションを確立する確立手段とを備えることを特徴とする特徴とする。
【発明の効果】
【０００９】
本発明によれば、通話とファクシミリ通信を１回線で共有する宅内ＩＰ電話網に設置される、みなし音声通信方式のファクシミリ装置において、最小限の機能追加で宅内ＩＰ電話機と円滑に連携することができる。
【図面の簡単な説明】
【００１０】
【図１】第１の実施形態に係るみなし音声通信方式のファクシミリ装置を含むファクシミリシステムの構成を示すブロック図。
【図２】第１の実施形態に係る宅内ＩＰ網へのファクシミリ着信時に、ＩＰ電話機からの保留転送により、ファクシミリ装置がみなし音声通信を行う場合のシーケンス図。
【図３】第１の実施形態に係る宅内ＩＰ網へのファクシミリ着信時に、ＩＰ電話機からの保留転送により、ファクシミリ装置がみなし音声通信を行う場合のフローチャート。
【図４】第２の実施形態に係る宅内ＩＰ網へのファクシミリ着信時に、ＩＰ電話機からの保留転送によりとリモート受信指示により、リアルタイム型インターネットファクシミリ装置がみなし音声通信を行う場合のシーケンス図。
【図５】第２の実施形態に係る宅内ＩＰ網へのファクシミリ着信時に、ＩＰ電話機からの保留転送とリモート受信指示の有無により、ファクシミリ装置がみなし音声通信を行う場合のフローチャート。
【図６】図５に続くフローチャート。
【発明を実施するための形態】
【００１１】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１２】
＜第１の実施形態＞
以下では、図１乃至図３を用いて本発明の第１の実施形態について説明する。本実施形態では、ＩＰ電話機からの保留転送により「自動受信モード」に設定されたＩＰＦＡＸ１がみなし音声通信によるファクシミリ通信を行う処理を説明する。
【００１３】
ここで、ＩＰ電話について説明する。ＩＰ電話は、ＳＩＰ（Ｓｅｓｓｉｏｎ  Ｉｎｉｔｉａｔｉｏｎ  Ｐｒｏｔｏｃｏｌ）等の呼制御プロトコルを利用し、リアルタイム通信のためのセッションの生成・変更・切断を制御する。また、ＶｏＩＰ（Ｖｏｉｃｅ  ｏｖｅｒ  Ｉｎｔｅｒｎｅｔ  Ｐｒｏｔｏｃｏｌ）技術を利用して音声を各種符号化・圧縮し、ＩＰパケットに変換してＩＰ網上をリアルタイムで伝送することにより通話処理を行っている。企業内ではＩＰ−ＰＢＸ（Ｉｎｔｅｒｎｅｔ  Ｐｒｏｔｏｃｏｌ−  Ｐｒｉｖａｔｅ  Ｂｒａｎｃｈ  ｅＸｃｈａｎｇｅ）を利用することよって、専用の電話線を配線することなくイントラネットと統合した内線ＩＰ電話網を構築している。家庭内においても、一般加入電話と同じように使えるＩＰ電話サービスが普及し始めている。ＡＤＳＬ回線又や光回線とターミナルアダプタ（ＴＡ）やホームゲートウェイ（ＨＧＷ）を介して宅内のアナログ電話機やＩＰ電話機と接続してＩＰ電話が利用可能となっている。これらのターミナルアダプタ（ＴＡ）やホームゲートウェイ（ＨＧＷ）には、内線通話機能を有するものが一般的となっており、宅内での内線通話のできるＩＰ電話環境も利用可能となっている。
【００１４】
最近ではこれらのＩＰ電話環境に、ターミナルアダプタ（ＴＡ）やホームゲートウェイ（ＨＧＷ）を介してファクシミリ装置を接続するようになり、内外線の相手先とのファクシミリ通信をＩＰ電話環境上で行う場合が増えてきている。接続可能な回線インターフェースと利用可能なプロトコルが複数あることから、これらのＩＰ電話環境で利用できるファクシミリ装置には幾つかの方式が存在する。ターミナルアダプタ（ＴＡ）やホームゲートウェイ（ＨＧＷ）のアナログポートに付属するＶｏＩＰ機能を利用してＩＰ網を経由したファクシミリ通信を行うＧ３ファクシミリ装置がある。ターミナルアダプタ（ＴＡ）やホームゲートウェイ（ＨＧＷ）のＬＡＮポートに接続しファクシミリ装置自体がＶｏＩＰ機能を持って音声符号化復号化及びＩＰパケット化を行うみなし音声通信方式のファクシミリ装置がある。Ｇ３ファクシミリの信号をＩＰメッセージに変換してリアルタイム伝送しＧ３ファクシミリより高速な通信が行えるＴ．３８方式のリアルタイム型インターネットファクシミリ装置がある。
【００１５】
ＩＰ電話機やみなし音声通信方式のファクシミリ装置は、ＩＰ−ＰＢＸやホームゲートウェイ（ＨＧＷ）を経由して通信相手先のＩＰアドレスをＳＩＰにより取得し、通信相手先とＰ２Ｐの通信を行う。Ｐ２Ｐ送受信される音声や映像などのデータの種類は、ＳＩＰのネゴシエーションでメディア種別として決められる。メディア種別には、音声（ｍ＝ａｕｄｉｏ）、映像（ｍ＝ｖｉｄｅｏ）、画像（ｍ＝ｉｍａｇｅ）、その他（ｍ＝ａｐｐｌｉｃａｔｉｏｎ）等が存在する。Ｔ．３８方式のリアルタイム型インターネットファクシミリでの通信では画像（ｍ＝ｉｍａｇｅ）やその他（ｍ＝ａｐｐｌｉｃａｔｉｏｎ）が使用される。ＩＰ電話機での通話やみなし音声通信方式のファクシミリ通信では音声（ｍ＝ａｕｄｉｏ）のメディア種別が使用されるために、着信時には通話なのかファクシミリ通信なのかは判断できない。
【００１６】
ＳＩＰでは、ＳＩＰ端末を利用する場合にアドレス等の端末情報をＳＩＰサーバに登録して管理する必要がある。ＳＩＰ端末はアドレス等の端末情報とその保持期間を記載したＲＥＧＩＳＴＥＲリクエストをＳＩＰサーバへ通知・登録することによって、ＳＩＰサーバからのＳＩＰ端末を呼び出しが可能となる。ＳＩＰ端末は端末情報の保持期間が経過する前に再度ＲＥＧＩＳＴＥＲリクエストをＳＩＰサーバに通知する必要があり、一定期間毎にＲＥＧＩＳＴＥＲリクエストをＳＩＰサーバへの通知処理を行う。ＳＩＰ端末を利用しない場合などはＳＩＰサーバへの登録を削除する必要があり、ＲＥＧＩＳＴＥＲリクエストの保持期間を“０”に設定することによりＳＩＰサーバのＳＩＰ端末情報の削除を行う。このＳＩＰサーバへの登録／削除処理は、通常自機の端末情報は自機で行うが、代理でも登録が可能となっている。以下では、代理による登録を代理レジストと称し、代理による削除を代理アンレジストと称する。
【００１７】
＜ファクシミリ装置の構成＞
次に、図１を参照して、本実施形態に係るみなし音声通信方式のファクシミリ装置を含むファクシミリシステムの構成について説明する。図１において、１００，１５０：１０１から１１８で構成されるみなし音声通信方式のファクシミリ装置（以下、ＩＰＦＡＸ１及びＩＰＦＡＸ２と記述する）である。
【００１８】
ファクシミリ装置１００は、ＣＰＵ１０１、ＲＯＭ１０２、ＲＡＭ１０３、画像メモリ１０４、解像度変換部１０５、読取記録用の符号化復号化処理部１０６、時計部１０７、デジタルモデム１０８、ＳＬＩＣ１０９、電話機１１０、ＬＡＮＩ／Ｆ１１１、画像処理部１１２、シートスキャン１１３、ブックスキャン１１４、操作部１１５、ラインバッファ１１６、プリントバッファ１１７、及びプリンタ１１８を備える。また、ファクシミリ装置１００は、ＬＡＮ２００を介して、ＩＰ電話機２０１やＨＧＷ３０１、３０２に接続される。
【００１９】
ＣＰＵ１０１は、システム制御部であり、装置全体を統括的に制御する。ＲＯＭ１０２は、ＣＰＵ１０１の制御プログラムを格納する。ＲＡＭ１０３は、ＳＲＡＭ等で構成され、装置の設定情報や画像データの管理情報等のバックアップが必要なデータを蓄積する。画像メモリ１０４は、ＤＲＡＭ等で構成され、画像データを蓄積する。
【００２０】
解像度変換処理部１０５は、ラスタデータのミリ−インチ解像度変換等の解像度変換制御を行う。読取・記録用符号化復号化処理部（読取・記録用コーデック）１０６は、通信装置で扱う画像データの符号化復号化処理を行う。時計部１０７は、時間を計時するアプリケーションに利用されＩＣ等で構成される。デジタルモデム１０８は、装置からの手順信号や画像データを変調し、Ｇ．７１１等の音声符号化を行い、デジタルデータとしてＩＰネットワークに送出する。ＳＬＩＣ（Ｓｕｂｓｃｒｉｂｅｒ  Ｌｉｎｅ  Ｉｎｔｅｒｆａｃｅ  Ｃｉｒｃｕｉｔ）１０９は、Ｇ．７１１等の音声ＣＯＤＥＣによるアナログ−デジタル変換処理や電話回線エミュレーションを行う。ＳＬＩＣにより電話回線を経由することなくアナログ電話機をＩＰネットワークに接続することができ、電話回線（交換機）の呼出し信号や各種トーン信号生成といった電話回線をエミュレートする機能を提供できる。
【００２１】
電話機１１０は、通話に使用するハンドセットや留守番電話等の電話機である。ＬＡＮＩ／Ｆ１１１は、ネットワークを制御する。画像処理部１１２は、スキャナによって読み込まれた画像データに補正処理を施して高精細な画像データを出力するものである。シートスキャナ１１３、ブックスキャナ１１４は、ＣＳイメージセンサ、原稿搬送機構などで構成され、原稿を光学的に読み取って電気的な画像データに変換する。これらは、両面原稿の読み取りを行うこともできる。
【００２２】
操作部１１５は、キーボード、表示部等で構成され、オペレータが各種入力操作を行う。ラインバッファ１１６は、画像データの転送制御を行う場合に使用するするラインバッファである。プリントバッファ１１７は、印字用文字コードを格納するための１ページ分のバッファメモリである。プリンタ１１８は、受信画像やファイルデータを普通紙に記録するＬＢＰ等のプリンタであり、両面記録を行うことができる。
【００２３】
ＬＡＮ２００は、企業内のイントラネットや宅内のＩＰネットワークを示す。ＩＰ電話機２０１は、ホームゲートウェイＨＧＷ（３０１）によって内線電話機として利用できるように制御されるＩＰネットワーク上で利用できる電話機である。ＩＰ公衆網（ＮＧＮ網：Ｎｅｘｔ  Ｇｅｎｅｒａｔｉｏｎ  Ｎｅｔｗｏｒｋ）３００は、公衆ＩＰネットワークを示す。ＨＧＷ３０１、３０２は、公衆ＩＰネットワークであるＮＧＮとＬＡＮを接続するゲートウェイ装置であり、ＬＡＮ２００に接続されたＩＰ電話機２０１及びＩＰＦＡＸの呼制御サーバとして機能する。
【００２４】
＜シーケンス＞
次に、図２を参照して、本実施形態における宅内ＩＰ網へのファクシミリ着信時に、ＩＰ電話機２０１からの保留転送により、「自動受信モード」に設定されたＩＰＦＡＸ１（ファクシミリ装置１００）がみなし音声通信を行う場合のシーケンスについて説明する。
【００２５】
ＩＰＦＡＸ２は、公衆回線を共有するＩＰ電話機２０１及びＩＰＦＡＸ１を宛先とする、みなし音声によるファクシミリ送信操作を行う。具体的には、Ｔ１０１で、ＩＰＦＡＸ２は、メディア種別ａｕｄｉｏのＩＮＶＩＴＥリクエスト（セッション確立要求）を送出する。Ｔ１０２、Ｔ１０７で、ＨＧＷ（ホームゲートウェイ）３０１は、外部（ＩＰＦＡＸ２）から受信したメディア種別ａｕｄｉｏのＩＮＶＩＴＥリクエストを、宅内のＩＰ電話機２０１とＩＰＦＡＸ１とに同時に通知する。
【００２６】
ＩＮＶＩＴＥリクエストを受信すると、ＩＰ電話機２０１は、着信処理中であることを示す暫定応答（１００  Ｔｒｙｉｎｇ）や呼出し中であることを示す暫定応答（１８０  Ｒｉｎｇｉｎｇ）を送信する。さらに、ＩＰ電話機２０１は、これらの暫定応答を送信しながら、操作者を呼び出すべく呼出音を鳴動させて着信呼出しを行う。着信呼出しに操作者が応答してＩＰ電話機２０１のハンドセットをオフフックすると、Ｔ１０３で、ＩＰ電話機２０１は、成功応答（２００  ＯＫ）を送出し、通話可能であることを通知する。Ｔ１０４で、ＨＧＷ３０１は、当該成功応答（２００  ＯＫ）を受信して、ＩＰＦＡＸ２へ転送する。Ｔ１０５で、ＩＰＦＡＸ２は、成功応答（２００  ＯＫ）を受信し、ＡＣＫ信号を送出する。Ｔ１０６で、ＩＰ電話機２０１は、ＡＣＫ信号を受信し、メディア種別ａｕｄｉｏのセッションが確立され（図中の（Ａ））通話状態となる。
【００２７】
また、Ｔ１０７でＩＮＶＩＴＥリクエストがＩＰＦＡＸ１にも同時に通知される。その後、ＩＰＦＡＸ１は、着信処理中であることを示す暫定応答（１００  Ｔｒｙｉｎｇ）と、呼出し中であることを示す暫定応答（１８０  Ｒｉｎｇｉｎｇ）とをＨＧＷ３０１へ通知する。ＩＰＦＡＸ１は、外線着信では直ぐにはセッションを確立せずに受信動作へは移行しない状態を維持する。つまり、ＩＰＦＡＸ１は、外線着信の場合は、所定時間が経過するまで遅延させて、その後にセッションを確立する。その間にＴ１０３でＩＰ電話機２０１の操作者が応答すると、ＨＧＷ３０１は、Ｔ１０４で、ＩＰ電話機２０１からの成功応答（２００  ＯＫ）を受信し、セッション確立要求中であるＩＰＦＡＸ１に対してＣＡＮＣＥＬリクエストを通知する。
【００２８】
Ｔ１０８で、ＩＰＦＡＸ１は、ＣＡＮＣＥＬリクエストを受信するとＩＮＶＩＴＥが中止されたことを示す”４８７  Ｒｅｑｕｅｓｔ  Ｔｅｒｍｉｎａｔｅｄ”を送信する。”４８７  Ｒｅｑｕｅｓｔ  Ｔｅｒｍｉｎａｔｅｄ”を受信したＨＧＷ３０１は、ＡＣＫ信号を送信する。その後、Ｔ１０９で、ＩＰＦＡＸ１は、当該ＡＣＫ信号を受信し、着信処理を終了して待機状態へ遷移する。
【００２９】
ＩＰＦＡＸ２とＩＰ電話機２０１の通話中（Ａ）において、ＩＰ電話機２０１の操作者は、ＣＮＧ信号を確認するとＩＰＦＡＸ１で受信させるために、保留ボタン押下後の転送先ダイヤル又はフッキング操作後の転送先ダイヤルによる保留転送操作を行う。ここで、ＣＮＧ信号とは、１１００Ｈｚの単一トーン信号であり、送信側がファクシミリ装置であることを示すものである。
【００３０】
Ｔ１１０で、ＩＰ電話機２０１は、ＩＰＦＡＸ１へＩＮＶＩＴＥリクエストを送出し、呼出しを行う、ＩＰＦＡＸ１は、内線着信であるので即時応答し、ＩＰ電話機２０１との間にａｕｄｉｏセッションを確立する（Ｂ）。Ｔ１１１のセッション確立の手順は、Ｔ１０１〜Ｔ１０６と同様であるため、説明を省略する。セッション確立後にＴ１１２で、ＩＰＦＡＸ１は、みなし音声によるファクシミリ受信を行うためにＣＥＤ及びＤＩＳ信号を送出する。ＩＰ電話機２０１の操作者は、保留転送操作後にＩＰＦＡＸ１の応答を確認してＩＰ電話機２０１のハンドセットをオンフックして保留転送操作を終了する。
【００３１】
Ｔ１１３で、ＩＰ電話機２０１は、オンフックされると、ＩＰＦＡＸ２からＲｅｆｅｒ−Ｔｏヘッダで指定される転送先ＩＰＦＡＸ１へＩＮＶＩＴＥリクエストを送信するようにＲＥＦＥＲリクエストをＨＧＷ３０１を通してＩＰＦＡＸ２へ送信する。ＩＰＦＡＸ２は、ＲＥＦＥＲリクエストを受信すると”２０２  Ａｃｃｅｐｔｅｄレスポンス”を返送するとともに転送中であることを示すＮＯＴＩＦＹリクエストを送信する。続いて、Ｔ１１４で、ＩＰ電話機２０１は、ＮＯＴＩＦＹリクエストを受信して転送中であることを確認すると、ＮＯＴＩＦＹリクエストに対して成功応答（２００  ＯＫ）を送信する。
【００３２】
Ｔ１１５で、ＩＰＦＡＸ２は、ＲＥＦＥＲリクエストで指定されたＩＰＦＡＸ１に対して、ＲｅｐｌａｃｅｓヘッダのダイアログＩＤ（Ｃａｌｌ−ＩＤ）で指定された接続と置き換えるように指示するＩＮＶＩＴＥリクエストを送信する。Ｔ１１６で、ＩＰＦＡＸ１は、指定されたダイアログと新たな接続を切り替えるために、ＩＰＦＡＸ２とａｕｄｉｏセッション（（Ｂ）から（Ｃ）へ）を確立する。Ｔ１１６のセッション確立の手順は、Ｔ１０１〜Ｔ１０６と同様であるため詳細な説明は省略する。Ｔ１１９で、ＩＰＦＡＸ１とＩＰＦＡＸ２は、みなし音声によるファクシミリ手順を継続する。
【００３３】
Ｔ１１７で、ＩＰ電話機２０１は、ＩＰＦＡＸ２とのａｕｄｉｏセッションを解放するためにＢＹＥリクエストを送信し、ＢＹＥリクエストに対する成功応答（２００  ＯＫ）を受信し、ＩＰＦＡＸ２とのａｕｄｉｏセッション（Ａ）を終了する。一方、ＩＰＦＡＸ１は、Ｔ１１８で、Ｒｅｐｌａｃｅｓヘッダに指定されたダイアログを解放するためにＢＹＥリクエストを送信し、ＢＹＥリクエストに対する成功応答（２００  ＯＫ）を受信し、ＩＰ電話機２０１とのａｕｄｉｏセッション（Ｂ）を終了する。
【００３４】
＜フローチャート＞
次に、図３を参照して、本実施形態における宅内ＩＰ網へのファクシミリ着信時に、ＩＰ電話機２０１からの保留転送により、「自動受信モード」に設定されたＩＰＦＡＸ１がみなし音声通信を行う場合の処理手順について説明する。以下で説明する処理は、ＲＯＭ１０２に格納されたプログラムに従ってＣＰＵ１０１が実行することによって実現される。
【００３５】
Ｓ１０１で、ＩＰＦＡＸ１のＣＰＵ１０１は、ＩＮＶＩＴＥリクエストを受信したか否かを判定する。受信するとＳ１０２に進み、ＣＰＵ１０１は、ＳＩＰメッセージヘッダ部分からＬＡＮ２００内の端末からの着信（内線着信）かＬＡＮ２００と接続するＮＧＮ網からの着信（外線着信）かを判定する。外線着信の場合には、ＩＮＶＩＴＥリクエストのＦｒｏｍヘッダ部分に外線電話番号や発信者番号非通知を示す”ａｎｎｏｎｙｍｏｕｓ”をユーザ名とするＵＲＩが記載され、Ｔｏヘッダには自局の外線番号をユーザ名とするＵＲＩが記載される。内線着信の場合には、ＩＮＶＩＴＥリクエストのＦｒｏｍヘッダに発信元の内線番号をユーザ名とするＵＲＩが記載され、Ｔｏヘッダには自機の内線番号をユーザ名とするＵＲＩが記載される。
【００３６】
外線着信の場合には、Ｓ１０３で、ＣＰＵ１０１は、セッション確立までの時間を規定する応答タイマに予め設定された時間（初期値１５秒）だけ、セッション確立を遅らせるタイマ値（所定時間）を設定し、着信中の処理を行う。つまり、このタイマが満了するまでに間、ＣＰＵ１０１は、セッションを確立することなく待機する。その後、Ｓ１０５で応答タイマが終了したと判断してＳ１０７へ進みセッション確立するまでの間に、Ｓ１０４で、ＣＰＵ１０１は、着信処理中のＩＮＶＩＴＥリクエストの中断を指示するＣＡＮＣＥＬリクエストを受信したか否かを判定する。受信した場合はＳ１０１の待機状態に戻る。
【００３７】
一方、Ｓ１０２で内線着信と判定すると、Ｓ１０６で、ＣＰＵ１０１は、直ちにセッションを確立できるようにタイマ値（数１００ｍｓ程度）を応答タイマに設定する。その後、Ｓ１０５で応答タイマが終了したと判定すると、ＣＰＵ１０１は、Ｓ１０７で自機と発信元の間にａｕｄｉｏセッションを確立し、Ｓ１０８でＣＥＤ信号及びＤＩＳ信号を送出してＧ３ファクシミリの前手順を開始する。
【００３８】
Ｓ１０９で、ＣＰＵ１０１は、ＤＩＳ信号送出を繰り返すファクシミリ前手順がＳ１１０で終了するまでの間（Ｔ．３０勧告で規定されるＴ１時間）、ファクシミリ前手順に対する応答を監視する。Ｓ１１０で、ＦＡＸ受信手順タイマが終了したと判定し、ファクシミリ前手順が終了した場合には、Ｓ１１１で、ＣＰＵ１０１は、ＢＹＥ信号の送出と、ＢＹＥに対する成功応答（２００  ＯＫ）の受信と、から成る切断処理を行い、処理を終了する。ＤＩＳ信号送出を繰り返すファクシミリ前手順が終了するまで（Ｓ１１０）の間、ファクシミリ前手順に応答する送信側ファクシミリ信号を受信した場合（Ｓ１０９でＹｅｓ）には、ＣＰＵ１０１は、Ｓ１１２に進み、みなし音声によるファクシミリ受信処理を行う。ファクシミ受信処理が終了するとＳ１１１に進み、ＣＰＵ１０１は、ＢＹＥ信号の送出と、ＢＹＥに対する成功応答（２００  ＯＫ）の受信と、から成る切断処理を行い、処理を終了する。
【００３９】
以上説明したように、本発明は、通話とファクシミリ通信を１回線で共有する宅内ＩＰ電話網に設置されたみなし音声通信方式のファクシミリ装置１００に関連する。本実施形態に係るファクシミリ装置によれば、１回線を共有している外線からの着信に対する応答時間を遅延させることにより、他の宅内ＩＰ電話機で操作者が先に応答し通話することができる。また、本ファクシミリ装置は、内線からの着信に対しては即時応答することにより、他のＩＰ電話機が受けた外線からの着信がファクシミリ着信の場合にも直ちにファクシミリ受信を行え、送信機側のファクシミリ手順のタイムアウトによる通信エラーを回避することができる。さらに、ＩＰ電話機能を有するみなし音声方式のファクシミリ装置の場合には、保留転送の着信時にリモートＩＤを検出することにより、他の宅内ＩＰ電話機からの円滑なリモート受信指示の受け付け及びファクシミリ受信が可能になる。また、リモートＩＤが検出されない場合は、ＦＡＸ／ＴＥＬ切替動作を行うことにより、通話転送及びファクシミリ転送の両方に対応した処理が可能となる。
【００４０】
＜第２の実施形態＞
以下では、図１、図４乃至図６を用いて、本発明の第２の実施形態について説明する。本実施形態では内線端末からの着信に対しても通話とファクシミリ通信の判別が可能な構成について説明する。本実施形態のみなし音声通信方式のファクシミリ装置の構成は、上記第１の実施形態と同じであるので、その説明を省略する。
【００４１】
＜シーケンス＞
まず、図４を参照して、本実施形態に係る宅内ＩＰ網へのファクシミリ着信時に、ＩＰ電話機２０１からのリモート受信指示により、ＩＰＦＡＸ１がみなし音声通信を行う場合のシーケンスについて説明する。ＩＰ電話機２０１は、応答後にＩＰＦＡＸ１へ保留転送操作を行い、ＩＰ電話機２０１とＩＰＦＡＸ１の間にセッションが確立（図４の（Ｂ））されるまでの処理は、上記第１の実施形態と同じであるので、その説明を省略する。即ち、図２のＴ１０１〜Ｔ１１１と、図４のＴ２０１〜Ｔ２１１は同様の処理であるため説明を省略する。
【００４２】
ＩＰＦＡＸ１は、内線着信時に即時応答してａｕｄｉｏセッションを確立するが、ファクシミリ送信の場合には、相手機からのＣＮＧ信号を検知してみなし音声によるファクシミリ受信を開始する。ＩＰ電話機２０１の操作者は、ＩＰ電話機２０１とＩＰＦＡＸ１が通話状態となると、ＩＰＦＡＸ１でのファクシミリ受信を指示するために、ＩＰ電話機２０１のテンキーを操作して予めＩＰＦＡＸ１に設定されたリモートＩＤをダイヤル操作する。ＩＰ電話機２０１は、リモートＩＤをＤＴＭＦ信号に変換してＩＰＦＡＸ１へ送信する。
【００４３】
Ｔ２１２で、ＩＰＦＡＸ１は、ＩＰ電話機２０１のダイヤル操作で入力された、ＩＰＦＡＸ１に受信動作を指示するリモートＩＤをＤＴＭＦ信号として受信する。続いて、Ｔ２１３で、ＩＰＦＡＸ１は、リモートＩＤを受信すると、ファクシミリ受信処理を開始しＣＥＤ信号、ＤＩＳ信号を送出する。
【００４４】
ＩＰ電話機２０１の操作者は、ＩＰＦＡＸ１からのＣＥＤ信号及びＤＩＳ信号を確認してＩＰ電話機２０１をオンフックする。Ｔ２１４で、ＩＰ電話機２０１をオンフックして保留転送操作を終了すると、Ｒｅｆｅｒ−Ｔｏヘッダで指定される転送先へＩＮＶＩＴＥリクエストを送信するように、ＲＥＦＥＲリクエストをＩＰＦＡＸ２へ送信する。ＩＰＦＡＸ２は、ＲＥＦＥＲリクエストを受信すると”２０２  Ａｃｃｅｐｔｅｄレスポンス”を返送するとともに転送中であることを示すＮＯＴＩＦＹリクエストを送信する。
【００４５】
Ｔ２１５で、ＩＰ電話機２０１は、ＮＯＴＩＦＹリクエストを受信して転送中であることを確認するとＮＯＴＩＦＹリクエストに対して成功応答（２００  ＯＫ）を送信する。続いて、Ｔ２１６で、ＩＰＦＡＸ２は、ＩＰＦＡＸ１に対して、ＲＥＦＥＲリクエストで指定されたＩＰＦＡＸ１へＲｅｐｌａｃｅｓヘッダのダイアログＩＤ（Ｃａｌｌ−ＩＤ）で指定された接続と置き換えるように指示したＩＮＶＩＴＥリクエストを送信する。
【００４６】
Ｔ２１７で、ＩＰＦＡＸ１は、指定されたダイアログと新たな接続を切り替えるために、ＩＰＦＡＸ２とａｕｄｉｏセッション（図４の（Ｂ）から（Ｃ）へ）を確立する。Ｔ２１７のセッション確立の手順は、Ｔ２０１〜Ｔ２０６と同様であるため説明を省略する。Ｔ２１２でリモートＩＤを検知した場合には、Ｔ２２０で、ＩＰＦＡＸ１は、ＤＩＳ信号送出を継続し、みなし音声によるファクシミリ手順を行う。Ｔ２１２でリモートＩＤを検知しなかった場合には、ＩＰＦＡＸ１は、ＣＮＧ信号検知処理を継続し、ＣＮＧ信号を検知できれば、みなし音声によるファクシミリ受信を行う。ＣＮＧ信号を検知できなければ通話と判断し、操作者に通話を促すために着信呼出しを行う。
【００４７】
Ｔ２１８で、ＩＰ電話機２０１は、ＩＰＦＡＸ２とのａｕｄｉｏセッションを解放するためにＢＹＥリクエストを送信し、ＢＹＥリクエストに対する成功応答（２００  ＯＫ）を受信し、ＩＰＦＡＸ２とのａｕｄｉｏセッション（図４のＡ）を終了する。Ｔ２１９で、ＩＰＦＡＸ１は、Ｒｅｐｌａｃｅｓヘッダ指定されたダイアログを解放するためにＢＹＥリクエストを送信し、ＢＹＥリクエストに対する成功応答（２００  ＯＫ）を受信し、ＩＰ電話機２０１とのａｕｄｉｏセッション（図４の（Ｂ））を終了する。
【００４８】
＜フローチャート＞
次に、図５及び図６を参照して、本実施形態における宅内ＩＰ網へのファクシミリ着信時に、ＩＰ電話機２０１からの保留転送とリモート受信指示の有無により、インターネットファクシミリ装置がみなし音声通信を行う際の処理手順について説明する。以下で説明する処理は、ＲＯＭ１０２に格納されたプログラムに従ってＣＰＵ１０１が実行することによって実現される。
【００４９】
外線着信時においてＩＰ電話機２０１が応答後にＩＰＦＡＸ１（１００）へ保留転送操作行いＩＰＦＡＸ１の間にセッションが確立するまでの処理は、上記第１の実施形態と同様であり、その説明を省略する。即ち、図５のＳ２０１〜Ｓ２０７の処理は、図３のＳ１０１〜Ｓ１０７の処理と同様であるため、説明を省略する。
【００５０】
Ｓ２０８で、ＩＰＦＡＸ１のＣＰＵ１０１は、初期化処理を行う。具体的には、セッションを一定時間維持する回線捕捉タイマのスタートと、一定時間ＣＮＧ信号を検知できなかった場合に通話と判断して操作者の呼び出しを開始するための呼出開始タイマのスタートを行う。また、ファクシミリ受信指示を示すリモート受信指示信号の検知結果を示すフラグの初期化を行う。
【００５１】
Ｓ２０９で、ＣＰＵ１０１は、「ただいま電話を呼び出しております、ファクシミリの方は送信してください。ファクシミリを転送する方はリモートＩＤを入力してください。」等の音声応答メッセージを再生する。これにより、通信相手先に対して通信目的に適した操作を行うように促することができる。
【００５２】
Ｓ２１０で、ＣＰＵ１０１は、呼出開始タイマが終了したか否かを判定する。終了した場合Ｓ２１１に進み、ＣＰＵ１０１は、一定時間ＣＮＧ信号が無かったので通話と判断してスピーカからの擬似呼出音を鳴動させたり、擬似的な呼出し信号を印加して接続された電話機を鳴動させる処理を開始する。続いて、Ｓ２１２で、ＣＰＵ１０１は、オフフックであるか否かを判定する。オフフックであれば、Ｓ２１３に進み、接続されたハンドセットや電話機を利用して通信相手先と通話状態となる。通話処理が終了するとＳ２１８に進み、ＣＰＵ１０１は、ＢＹＥ信号の送出とＢＹＥに対する成功応答（２００  ＯＫ）の受信から成る切断処理を行い終了する。
【００５３】
Ｓ２１４で、ＣＰＵ１０１は、通信相手先からのＣＮＧ信号を受信するとファクシミリ通信と判断し、Ｓ２１５でみなし音声通信によるファクシミリ受信を行う。みなし音声通信によるファクシミリ受信が終了すると、Ｓ２１８に進み、ＣＰＵ１０１は、ＢＹＥ信号の送出とＢＹＥに対する成功応答（２００  ＯＫ）の受信から成る切断処理を行い処理を終了する。
【００５４】
Ｓ２１４でＣＮＧ信号を受信していないと判定するとＳ２１６に進み、ＣＰＵ１０１は、予め登録された数字列に対応するＤＴＭＦ信号を検知したか否かを判定する。検知したと判定するとＳ２１５に進み、ＣＰＵ１０１は、みなし音声によるファクシミリ受信処理を行う。その後、Ｓ２１８に進む。Ｓ２１８で、ＣＰＵ１０１は、みなし音声によるファクシミリ受信処理が終了すると、ＢＹＥ信号の送出とＢＹＥに対する成功応答（２００  ＯＫ）の受信から成る切断処理を行い、処理を終了する。
【００５５】
Ｓ２１６でリモートＩＤを検知していないと判定すると、Ｓ２１７で、ＣＰＵ１０１は、回線捕捉タイマが終了したか否かを判定する。終了していればＳ２１８に進む。Ｓ２１８で、ＣＰＵ１０１は、ＢＹＥ信号の送出とＢＹＥに対する成功応答（２００  ＯＫ）の受信から成る切断処理を行い、処理を終了する。一方、終了していなければＳ２１０に処理を戻す。
【００５６】
以上説明したように、本実施形態に係るファクシミリ装置によれば、内線端末からの着信に対しても通話とファクシミリ通信の判別が可能な構成とし、上記第１の実施形態の効果に加えてさらに好適に音声通信とみなし音声通信によるファクシミリ通信とを制御することができる。
【００５７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００５８】
１００：ＩＰＦＡＸ装置（ＩＰＦＡＸ１）、１５０：ＩＰＦＡＸ装置（ＩＰＦＡＸ２）、２００：ＬＡＮ、２０１：ＩＰ電話機、３００：ＮＧＮ（Next Generation Network）、３０１：ホームゲートウェイ（ＨＧＷ１）、３０２：ホームゲートウェイ（ＨＧＷ２）
【図１】
2015211349.tif 000003
【図２】
2015211349.tif 000004
【図３】
2015211349.tif 000005
【図４】
2015211349.tif 000006
【図５】
2015211349.tif 000007
【図６】
2015211349.tif 000008